(57)【要約】【課題】作業者の手作業による艤装カウルトップの艤装性を向上することができる車体前部構造を提供する。【解決手段】フロントガラス２の下縁で車両幅方向に延在されるカウルトップ１００が、両端部が車体側部に連結されて前記フロントガラス２を支持する第１カウルトップ部材１００ａと、前記第１カウルトップ部材１００ａの前方に設けられ当該第１カウルトップ部材１００ａに着脱可能に組付けられる第２カウルトップ部材１００ｂとを備えて構成される車体前部構造であって、前記第１カウルトップ部材１００ａは、外気を取り込む空気取入口７ａと、前記空気取入口７ａへの水の浸入を防止する止水カバー３０とを備えており、前記止水カバー３０は、前記第２カウルトップ部材１００ｂの艤装時において、当該第２カウルトップ部材１００ｂの後端部の当接を受けて前記第２カウルトップ部材１００ｂを所定の組付け位置へ案内する艤装ガイド面３３を有して成る。【選択図】図２
2014223882.tif 000002
【特許請求の範囲】
【請求項１】
車両におけるフロントガラスの下縁で車両幅方向に延在されるカウルトップが、両端部が車体側部に連結されて前記フロントガラスの下縁を支持する第１カウルトップ部材と、前記第１カウルトップ部材の前方に設けられ当該第１カウルトップ部材に着脱可能に組付けられる第２カウルトップ部材とを備えて構成される車体前部構造であって、
前記第１カウルトップ部材は、外気を取り込む空気取入口と、当該空気取入口の前方に位置して前記空気取入口への水の浸入を防止する止水カバーとを備えており、
前記止水カバーは、前記第２カウルトップ部材の艤装時において、当該第２カウルトップ部材の後端部の当接を受けて前記第２カウルトップ部材を所定の組付け位置へ案内する艤装ガイド面を有する
ことを特徴とする車体前部構造。
【請求項２】
前記第１カウルトップ部材の車両幅方向の一方側に、前記空気取入口および前記止水カバーが設けられ、
前記止水カバーと反対側となる車両幅方向の他方側に、ワイパー装置を支持するワイパーブラケットが設けられ、
前記ワイパーブラケットは、前記第２カウルトップ部材の艤装時において、当該第２カウルトップ部材の前記他方側における可動領域を規制する艤装ガイド部を有する
ことを特徴とする請求項１に記載の車体前部構造。
【請求項３】
前記第１カウルトップ部材は、車両上下方向に延設されて前記空気取入口が形成されるインナ部材と、当該インナ部材の下端から車両前方側へ延設されて前記第２カウルトップ部材が上方から重ねられた状態で組み付けられるロア部材とを含んで構成され、
前記止水カバーの前記艤装ガイド面は、前記ロア部材に対して車両上方側で対向するとともに車両後方側かつ下方側に向かって傾斜される
ことを特徴とする請求項１または請求項２に記載の車体前部構造。
【請求項４】
前記第２カウルトップ部材は、前記止水カバーに固定される取付ブラケットを有し、
前記取付ブラケットが、前記第２カウルトップ部材の艤装時において、前記止水カバーに当接されて前記第２カウルトップ部材の車両後方側への移動を規制する
ことを特徴とする請求項１から３のいずれか１項に記載の車体前部構造。
【発明の詳細な説明】
【技術分野】
【０００１】
本発明は、自動車のフロントガラス下縁に配置されるカウルトップを備える車体前部構造に関する。
【背景技術】
【０００２】
自動車は、多くの部品から成り、それらが溶接またはボルトやクリップなどによって組付けられて成る。自動車の車体前部におけるフロントガラスの下縁には、カウルトップが車両幅方向に延在されている。カウルトップは、フロントガラスの下端を支持するアッパ部材と、上開き断面に形成されてフロントフードの後端近傍まで延設されるロア部材とを備えて構成されており、その両端部は、ピラー等の車体側部に溶接により固定されている。
【０００３】
ところで、デザイン等の理由によりカウルトップがダッシュパネル前方の空間、例えばエンジンルームの上方に大きく張り出した構造の車両がある。このような車両の場合、エンジンルームの開口が狭くなり、カウルトップ下方の空間へのアクセスが困難となるため、搭載部品の艤装性やメンテナンス時の整備性を考慮して、ロア部材の前方側部分を分割してボルト等で艤装する構造とし、分割部分（以下、本明細書において艤装カウルトップと呼ぶ）を取り外し可能としたものがある。つまり、カウルトップを、車体に溶接により組付けられる溶組カウルトップと、溶組カウルトップにボルト等で着脱可能に組付けられる艤装カウルトップ（分割部分）とに分割したものがある。このような構造のカウルトップとして、例えば特許文献１から特許文献３がある。
【０００４】
艤装カウルトップは、事前に組み付けられた種々の部品の隙間を縫うようにして車両前方側から溶組カウルトップ側に挿入され、フロントガラスの下縁近傍における所定の組付け位置でボルト等によって溶組カウルトップに固定される。艤装カウルトップの組付け作業は、機械設備等による自動化が難しく、作業者による手作業で行われる。また、作業コストの増大を抑えるために、一人の作業者によって行われるのが一般的である。
【先行技術文献】
【特許文献】
【０００５】
【特許文献１】特開２００８−１４９９９３号公報
【特許文献２】特開２００８−１６２３１６号公報
【特許文献３】特開平１１−１１５８１１号公報
【発明の概要】
【発明が解決しようとする課題】
【０００６】
しかしながら、カウルトップは車両幅方向に長い長尺の部品であり、艤装カウルトップも長尺に構成されている。そのため、一人の作業者が艤装カウルトップの両端部と種々の周辺部品との干渉等に留意しながら挿入し、組付け位置を合わせることは難しく、手間の掛かる作業である。
【０００７】
本発明は上記問題に鑑みてなされたもので、作業者の手作業による艤装カウルトップの艤装性を向上することができる車体前部構造を提供することを目的とする。
【課題を解決するための手段】
【０００８】
上記課題を解決する第一の発明に係る車体前部構造は、車両におけるフロントガラスの下縁で車両幅方向に延在されるカウルトップが、両端部が車体側部に連結されて前記フロントガラスの下縁を支持する第１カウルトップ部材と、前記第１カウルトップ部材の前方に設けられ当該第１カウルトップ部材に着脱可能に組付けられる第２カウルトップ部材とを備えて構成される車体前部構造であって、前記第１カウルトップ部材は、外気を取り込む空気取入口と、当該空気取入口の前方に位置して前記空気取入口への水の浸入を防止する止水カバーとを備えており、前記止水カバーは、前記第２カウルトップ部材の艤装時において、当該第２カウルトップ部材の後端部の当接を受けて前記第２カウルトップ部材を所定の組付け位置へ案内する艤装ガイド面を有することを特徴とする。
【０００９】
上記課題を解決する第二の発明に係る車体前部構造は、第一の発明に係る車体前部構造において、前記第１カウルトップ部材の車両幅方向の一方側に、前記空気取入口および前記止水カバーが設けられ、前記止水カバーと反対側となる車両幅方向の他方側に、ワイパー装置を支持するワイパーブラケットが設けられ、前記ワイパーブラケットは、前記第２カウルトップ部材の艤装時において、当該第２カウルトップ部材の前記他方側における可動領域を規制する艤装ガイド部を有することを特徴とする。
【００１０】
上記課題を解決する第三の発明に係る車体前部構造は、第一または第二の発明に係る車体前部構造において、前記第１カウルトップ部材は、車両上下方向に延設されて前記空気取入口が形成されるインナ部材と、当該インナ部材の下端から車両前方側へ延設されて前記第２カウルトップ部材が上方から重ねられた状態で組み付けられるロア部材とを含んで構成され、前記止水カバーの前記艤装ガイド面は、前記ロア部に対して車両上方側で対向するとともに車両後方側かつ下方側に向かって傾斜されることを特徴とする。
【００１１】
上記課題を解決する第四の発明に係る車体前部構造は、第一から第三のいずれかの発明に係る車体前部構造において、前記第２カウルトップ部材は、前記止水カバーに固定される取付ブラケットを有し、前記取付ブラケットが、前記第２カウルトップ部材の艤装時において、前記止水カバーに当接されて前記第２カウルトップ部材の車両後方側への移動を規制することを特徴とする。
【発明の効果】
【００１２】
第一の発明に係る車体前部構造によれば、第１カウルトップ部材に備えられる止水カバーが、第２カウルトップ部材の艤装時において、当該第２カウルトップ部材の後端部の当接を受けて第２カウルトップ部材を所定の組付け位置へ案内する艤装ガイド面を有することにより、第２カウルトップ部材の艤装を容易にすることができる。また、第２カウルトップ部材の組付け経路にある既存部品である止水カバーに当該艤装ガイド面を設けることにより、新たな部材を追加することがなく、製作コストの増大を抑えることができる。
【００１３】
第二の発明に係る車体前部構造によれば、車両幅方向の一方側に前記止水カバー、他方側にワイパーブラケットを設け、ワイパーブラケットが、第２カウルトップ部材の艤装時において、当該第２カウルトップ部材の他方側における可動領域を規制する艤装ガイド部を有することにより、第２カウルトップ部材の一方側が所定の組付け位置へ案内されると共に、第２カウルトップ部材の他方側における可動領域が規制されて第２カウルトップ部材と周辺部品との干渉が抑制されるので、第２カウルトップ部材の艤装を更に容易にすることができる。また、第２カウルトップ部材の組付け経路にある既存部品であるワイパーブラケットに当該艤装ガイド部を設けることにより、新たな部材を追加することがなく、製作コストの増大を抑えることができる。
【００１４】
第三の発明に係る車体前部構造によれば、止水カバーの艤装ガイド面がロア部材に対して車両上方側で対向すると共に車両後方側かつ下方側に向かって傾斜されることにより、第２カウルトップ部材を車両後方側へ押し込むと、第２カウルトップ部材の後端部が止水カバーの艤装ガイド面に当接し、当該艤装ガイド面に沿って車両下方側へ下がるので、第２カウルトップ部材を容易に所定の組付け位置へ案内および設置することができる。
【００１５】
第四の発明に係る車体前部構造によれば、第２カウルトップ部材が止水カバーに固定される取付ブラケットを有し、当該取付ブラケットが、第２カウルトップ部材の艤装時において、止水カバーに当接されて第２カウルトップ部材の車両後方側への移動を規制することにより、第２カウルトップ部材を車両後方側へ押し込むと、第２カウルトップ部材が取付ブラケットと止水カバーとの当接によって押し込むことができなくなるので、第２カウルトップ部材を容易に所定の組付け位置へ案内および設置することができる。
【図面の簡単な説明】
【００１６】
【図１】実施例１に係る車体前部構造を示す説明図である。
【図２】実施例１に係る車体前部構造を示す断面図（図１におけるＩ−Ｉ矢視断面図）である。
【図３】実施例１に係る車体前部構造における止水カバーを示す斜視図である。
【図４】実施例１に係る車体前部構造における止水カバーによる案内を示す説明図である。
【図５】実施例１に係る車体前部構造における止水カバーによる案内を示す説明図である。
【図６】実施例１に係る車体前部構造におけるワイパーサイドブラケットを示す斜視図である。
【図７】実施例１に係る車体前部構造におけるワイパーサイドブラケットによる案内を示す説明図（図１におけるVII−VII矢視断面図）である。
【発明を実施するための形態】
【００１７】
本発明は、カウルトップを車両における所定位置に艤装するための構造および方法である。以下に、本発明に係る車体前部構造の実施例について、添付図面を参照して詳細に説明する。もちろん、本発明は以下の実施例に限定されず、本発明の趣旨を逸脱しない範囲で各種変更が可能であることは言うまでもない。
【実施例１】
【００１８】
まず、本発明の実施例１に係る車体前部構造について、図１から図７を参照して説明する。
【００１９】
図１に示すように、車両１のフロントガラス２の下縁に、カウルトップ１００が車両１の幅方向に延在されている。カウルトップ１００は、両端部が車体側部に連結されてフロントガラス２の下端を支持する溶組カウルトップ（第１カウルトップ部材）１００ａと、溶組カウルトップ１００ａの車両前方に設けられて当該溶組カウルトップ１００ａに着脱可能に組付けられる艤装カウルトップ（第２カウルトップ部材）１００ｂとを備えて構成される。
【００２０】
艤装カウルトップ１００ｂは、車両１の幅方向に延びる長尺の部品であり、種々の部品が設けられている車体前部において、車両前方から車両後方へ向かって周辺部品の隙間を縫うように挿入して溶組カウルトップ１００ａに組付けられる。図１における矢印は、艤装カウルトップ１００ｂを車両１に対して挿入する方向、すなわち艤装カウルトップ１００ｂの溶組カウルトップ１００ａへの艤装方向を示す。
【００２１】
図２に示すように、車両１のフロントガラス２とその根元部から前方へ延びるフロントフード４との間にガーニッシュ５が設けられ、カウルトップ１００を構成する溶組カウルトップ１００ａと艤装カウルトップ１００ｂとで形成される空間の上部がガーニッシュ５により塞さがれている。ガーニッシュ５には、カウルトップ１００内と外部とを連通する開口部５が形成されている。
【００２２】
溶組カウルトップ１００ａは、車両１の幅方向に延びる長尺状の部材であり、フロントガラス２の下縁から車両後方へ延びるカウルトップアッパ（アッパ部材）９と、カウルトップアッパ９の車両後方側の一端縁から車両下方へ向かって車両上下方向に延設されるカウルトップインナ（インナ部材）７と、カウルトップインナ７に対して上開き断面となるようにカウルトップインナ７の下縁から車両前方側へ延設されるカウルトップロア（ロア部材）６とで構成さると共に、カウルトップロア６、カウルトップインナ７、カウルトップアッパ９はそれぞれ車両の図示しない車体側部（例えばフロントピラー）に溶接によって連結されて成る。
【００２３】
カウルトップロア６とカウルトップインナ７の下縁はダッシュパネル８に結合されており、カウルトップインナ７の上縁とフロントガラス２の下縁を連結するカウルトップアッパ９によってフロントガラス２の下縁が支持されている。また、カウルトップロア６とカウルトップインナ７によって車両幅方向（図における紙面前後方向）に延びる排水溝１０が構成されており、カウルトップ１００内に入り込んだ雨等の水を車外へ排出可能としている。
【００２４】
また、カウルトップインナ７には、空気を車室内に取り込むための空気取入口７ａが設けられている。空気取入口７ａには、インテークダクト２０を介して図示しないエアコン用ブロアユニットが取付けられ、ガーニッシュ５に設けられた開口部５ａおよび空気取入口７ａを介してエアコン用ブロアユニットに空気が送り込まれる仕組みとなっている（図２における矢印参照）。カウルトップインナ７の空気取入口７ａは、車両幅方向における中間位置より左右いずれか一方側に設けられており、本実施形態では、左側に設けられている（図１参照）。
【００２５】
艤装カウルトップ１００ｂは、溶組カウルトップ１００ａ同様、車両１の幅方向に延びる長尺状に形成された艤装カウルトップ本体３と、艤装カウルトップ本体３を溶組カウルトップ１００ａにボルトで組付けるための取付ブラケット５０とを備えている。艤装カウルトップ本体３は、溶組カウルトップ１００ａのカウルトップロア６の前端縁に組付けられるとともに、カウルトップロア６とガーニッシュ５の前方下縁を連結するように延設されてガーニッシュ５を支持している。
【００２６】
なお、艤装カウルトップ本体３は、ガーニッシュ５の前方下縁から車両後方側へ向かって車両下方側へ傾斜して設けられている。つまり、雨等によってガーニッシュ５の開口部５ａからカウルトップ１００内に入り込んだ水が、艤装カウルトップ本体３上を車両後方のカウルトップロア６側（図２における右方）へ向かって流れるよう構成されている。これによって、雨等の水は、艤装カウルトップ本体３からカウルトップロア６とカウルトップインナ７で構成される排水溝１０に導かれ、車外へ排出される。
【００２７】
ところで、カウルトップ１００内に入り込んだ水は、艤装カウルトップ本体３上を流れるだけでなく、跳ね返り等によって飛散されるため、飛散された水が、カウルトップインナ７の空気取入口７ａからインテークダクト２０を介して図示しないエアコン用ブロアユニットへ入る虞がある。そのため、溶組カウルトップ１００ａには、カウルトップインナ７の空気取入口７ａの前面（車両前方）に位置して空気取入口７ａへの水の浸入を防止する止水カバー３０が備えられている。
【００２８】
具体的には、カウルトップロア６の車幅方向左側における空気取入口７ａと対向する位置から上方に向かって止水カバー３０が延設されている。そして、本実施例における止水カバー３０には、艤装カウルトップ１００ｂを艤装する際のガイドとしての機能が設けられている。
【００２９】
本実施例における止水カバー３０は、図３に示すように、板状のカバー本体３１を曲げることにより成形したものであり、カウルトップロア６へ溶接するための取付け座面３２と、艤装カウルトップ１００ｂにおける艤装カウルトップ本体３の艤装方向先端部すなわち車両前後方向後端部３ａの当接を受けかつ艤装カウルトップ１００ｂを所定の艤装位置へ案内する艤装ガイド部としての艤装ガイド面３３と（図３および図４参照）、飛散する水がカウルトップインナ７の空気取入口７ａからインテークダクト２０および図示しないエアコン用ブロアユニットへ浸入するのを防止する止水面３４とを備える（図２および図３参照）。
【００３０】
艤装ガイド面３３は、図４および図５に示すように、艤装カウルトップ本体３の車両前後方向後端部３ａの当接を受けかつ艤装カウルトップ１００ｂを所定の艤装位置へ案内するように水平面に対して傾斜、すなわち、カウルトップロア６に対して車両上方側で対向すると共に車両後方側かつ下方側に向かって傾斜して形成される。艤装カウルトップ１００ｂは、艤装ガイド面３３に案内されることにより、カウルトップロア６の上方から重ねられた状態で組み付けられる。
【００３１】
なお、止水面３４には、止水カバー３０を艤装カウルトップ１００ｂにおける取付ブラケット５０と取付けるための取付け穴３５が設けられ、かつ取付け穴３５と同心にナット４０が溶接されている。
【００３２】
艤装カウルトップ本体３における艤装方向（図１における矢印）先端部、すなわち車両前後方向後端部３ａは、図４および図５に示すように、艤装の際に止水カバー３０の艤装ガイド面３３に当て付けるために、角部を円弧状に形成した当て付け部３ａとされている。艤装カウルトップ本体３の艤装方向先端側すなわち車両前後方向後端側の上面には、止水カバー３０に当て付けかつ取付けるための取付ブラケット５０が溶接などにより取付けられている。
【００３３】
取付ブラケット５０は、図４および図５に示すように、板状のブラケット本体５１を曲げ加工などにより略Ｌ字形に成形したものであり、艤装カウルトップ本体３に取付けるための取付け面５２と、止水カバー３０の止水面３４に当て付けるための当て付け面５３とを備える。また、取付ブラケット５０には、止水カバー３０に固定するための取付け穴５４が設けられ、ボルト４１によって取付ブラケット５０を止水カバー３０に取り付けることにより（図５参照）、艤装カウルトップ１００ｂを溶組カウルトップ１００ａに組付けられるようになっている。
【００３４】
この取付ブラケット５０は、艤装カウルトップ１００ｂの艤装時において、止水カバー３０に車両前方側から当接されて艤装カウルトップ１００ｂの車両後方側への移動を規制する、すなわち、艤装カウルトップ１００ｂは、取付ブラケット５０の当て付け面５３が止水カバー３０の止水面３４に当接することにより位置決めされる。
【００３５】
なお、艤装カウルトップ１００ｂにおける艤装カウルトップ本体３に対する取付ブラケット５０の取付け位置は、車両１における艤装カウルトップ１００ｂの設置位置に対する止水カバー３０の設置位置に対応するように設定される。また、取付ブラケット５０における取付け穴５４の位置は、止水カバー３０における取付け穴３５の位置に対応するように設定される。
【００３６】
よって、艤装カウルトップ１００ｂを艤装する際には、取付ブラケット５０を止水カバー３０に当て付けた後、車両前方側からボルト４１を取付ブラケット５０の取付け穴５４および止水カバー３０の取付け穴３５に挿通し、ナット４０にねじ込むことにより、艤装カウルトップ１００ｂを溶組カウルトップ１００ａに対し艤装（固定）することができる。
【００３７】
本実施例では、図１に示すように、止水カバー３０と反対側となる車両右側に備えられるエプロンフェンダ６０にワイパーサイドブラケット（ワイパーブラケット）７０が取付けられる。ワイパーサイドブラケット７０は、図６および図７に示すように、板状のブラケット本体７１を曲げることにより成形した略Ｌ字形のものであり、エプロンフェンダ６０へ取付けるためのフェンダ取付け面７２と、図示しないワイパー（ワイパー装置）を取付けるためのワイパー取付け面７３とを備える。ワイパー取付け面７３には図示しないボルトを通すための取付け穴７４を設け、ボルトおよびナットによってワイパーをワイパーサイドブラケット７０に取付ける。
【００３８】
なお、ワイパーサイドブラケット７０には、ワイパーを支持するための強度を確保するためのフランジ部７５ａ、７５ｂを設けている。また、エプロンフェンダ６０の一端側には、図７において紙面手前側に突出するように、フランジ部６１が設けられている。ワイパーサイドブラケット７０における一方のフランジ部７５ａとエプロンフェンダ６０におけるフランジ部６１によって、後述する艤装カウルトップ１００ｂの艤装を案内するように艤装カウルトップ１００ｂの一方側における可動領域を制限する（図７参照）。つまり、ワイパーサイドブラケット７０のフランジ部７５ａは、艤装ガイド部として機能し、艤装カウルトップ１００ｂを艤装する際に艤装カウルトップ１００ｂの一方側（車両右側）における上下方向の動きを規制する。
【００３９】
もちろん、本発明における空気取入口７ａ、止水カバー３０、ワイパーサイドブラケット７０の取付け位置は、本実施例に限定されない。艤装カウルトップ１００ｂの艤装性を向上させるためには、本実施例のように、溶組カウルトップ１００ａの車両幅方向の一方側（本実施例においては車両左側）に、空気取入口７ａおよび止水カバー３０が設けられ、止水カバー３０と反対側となる車両幅方向の他方側（本実施例においては車両右側）に、ワイパーサイドブラケット７０が設けられることが好ましい。
【００４０】
次に、本発明の実施例１に係る車両前部構造における艤装カウルトップの艤装作業について、図１から図７を参照して説明する。
【００４１】
最初に、図７に示すように、艤装カウルトップ１００ｂにおける艤装カウルトップ本体３の右側端部３ｂ（図１参照）をエプロンフェンダ６０のフランジ部６１とワイパーサイドブラケット７０のフランジ部７５ａとの隙間Ｄに挿入する。艤装カウルトップ本体３の右側端部３ｂは、エプロンフェンダ６０のフランジ部６１とワイパーサイドブラケット７０のフランジ部７５ａとの隙間Ｄで上下方向の可動領域が規制されるので、艤装カウルトップ本体３の右側端部３ｂすなわち艤装カウルトップ１００ｂの一方側は図示しない周辺部品と干渉する虞がなくなる。
【００４２】
よって、艤装カウルトップ１００ｂの組付け作業者は、容易に艤装カウルトップ１００ｂにおける艤装カウルトップ本体３の左側端部３ｃを所定位置に合わせることができる（図１参照）。つまり、艤装カウルトップ１００ｂにおける先端の取付ブラケット５０がフロントガラス２と接触しないように目視しながら、艤装カウルトップ本体３の左側端部３ｃが他部品（例えば、艤装カウルトップ本体３の左側端部３ｃの近傍に設けられる図示しないフードサポートロッド等）と干渉しないように、艤装カウルトップ１００ｂを車両１に対して車両前方側から挿入することができる。
【００４３】
続いて、図示しない周辺部品を艤装案内ガイドとして、艤装カウルトップ１００ｂを更に押し込む。例えば、図示しない左右のワイパーに艤装カウルトップ１００ｂにおける艤装カウルトップ本体３の上面を当てながら艤装カウルトップ１００ｂを車両後方側へ押し込み、更に、図示しないワイパーモータに艤装カウルトップ１００ｂにおける艤装カウルトップ本体３の下面を当てながら艤装カウルトップ１００ｂを押し込む。
【００４４】
最後に、艤装カウルトップ１００ｂにおける艤装カウルトップ本体３の当て付け部３ａを、溶組カウルトップ１００ａにおける止水カバー３０の艤装ガイド面３３に当て付けて艤装カウルトップ１００ｂを車両後方側へ押し込むと、艤装カウルトップ本体３の当て付け部３ａが止水カバー３０の艤装ガイド面３３に沿って車両下方側へ案内されて溶組カウルトップ１００ａに対して上方から重なった状態となる。同時に、艤装カウルトップ１００ｂにおける取付ブラケット５０が止水カバー３０のカバー本体３１に当たることにより艤装カウルトップ１００ｂの車両後方側への移動が規制され、艤装カウルトップ１００ｂは溶組カウルトップ１００ａ前方の所定位置に収まる（図４および図５参照）。
【００４５】
艤装カウルトップ１００ｂを所定の位置に収めた後に、車両前方側からボルト４１を取付ブラケット５０の取付け穴５４および止水カバー３０の取付け穴３３に挿通し、ナット４０にねじ込むことにより、艤装カウルトップ１００ｂは溶組カウルトップ１００ａに組付けられる。
【００４６】
以上のように、艤装カウルトップ１００ｂを車両前方側から周辺部品の隙間に挿入する際に、艤装ガイド部としての既存部品のワイパーサイドブラケット７０におけるフランジ部７５ａによって、艤装カウルトップ１００ｂの一方側である艤装カウルトップ本体３の右側端部３ｂにおける上下方向の可動領域を規制して艤装カウルトップ１００ｂを艤装位置へ案内すると共に艤装カウルトップ１００ｂと周辺部品との干渉を抑制し、更に、艤装カウルトップ１００ｂの後端部である艤装カウルトップ本体３の当て付け部３ａを、溶組カウルトップ１００ａの止水カバー３０における艤装ガイド部としての艤装ガイド面３３に当接させて車両後方側へ押し込み、艤装カウルトップ１００ｂを艤装位置へ案内および位置させることにより、艤装カウルトップ１００ｂは車両１における溶組カウルトップ１００ａ前方における所定の艤装位置に艤装され、艤装カウルトップ１００ｂの車両１への組付け作業、すなわち艤装カウルトップ１００ｂの溶組カウルトップ１００ａへの艤装作業が完了する。
【００４７】
本実施例では、艤装カウルトップ１００ｂの組付け経路にある既存部品の止水カバー３０に艤装ガイド部としての艤装ガイド面３３を設け、同じく艤装カウルトップ１００ｂの組付け経路にある既存部品のワイパーサイドブラケット７０に艤装ガイド部としてのフランジ部７５ａを設けたことにより、艤装カウルトップ１００ｂの車両１への艤装において、車両前方側からの挿入時および艤装位置への設置時の作業が容易となった。もちろん、艤装カウルトップ１００ｂの組付け経路における更に他の部品に艤装ガイド部を設けることも可能である。
【符号の説明】
【００４８】
１     車両
２     フロントガラス
３     艤装カウルトップ本体
３ａ   艤装カウルトップ本体の当て付け部
３ｂ   艤装カウルトップ本体の右側端部
３ｃ   艤装カウルトップ本体の左側端部
４     フロントフード
５     ガーニッシュ
５ａ   ガーニッシュの開口部
６     カウルトップロア
７     カウルトップインナ
７ａ   カウルトップインナの空気取入口
８     ダッシュパネル
９     カウルトップアッパ
１０   排水溝
２０   インテークダクト
３０   止水カバー
３１   止水カバーのカバー本体
３２   止水カバーの取付け座面
３３   止水カバーの艤装ガイド面
３４   止水カバーの止水面
３５   止水カバーの取付け穴
４０   ナット
４１   ボルト
５０   取付ブラケット
５１   取付ブラケットのブラケット本体
５２   取付ブラケットの取付け面
５３   取付ブラケットの当て付け面
５４   取付ブラケットの取付け穴
６０   エプロンフェンダ
６１   エプロンフェンダのフランジ部
７０   ワイパーサイドブラケット
７１   ワイパーサイドブラケットのブラケット本体
７２   ワイパーサイドブラケットのフェンダ取付け面
７３   ワイパーサイドブラケットのワイパー取付け面
７４   ワイパーサイドブラケットの取付け穴
７５ａ ワイパーサイドブラケットのフランジ部（挿入ガイド面）
７５ｂ ワイパーサイドブラケットのフランジ部
１００        カウルトップ
１００ａ      溶組カウルトップ
１００ｂ      艤装カウルトップ
【図１】
2014223882.tif 000003
【図２】
2014223882.tif 000004
【図３】
2014223882.tif 000005
【図４】
2014223882.tif 000006
【図５】
2014223882.tif 000007
【図６】
2014223882.tif 000008
【図７】
2014223882.tif 000009